(57)【要約】      （修正有）【課題】選択された運転コースの種類の如何に関わらず、食器等の局部的加熱を防止しつつ、乾燥行程の所要時間を可及的に短くすることができる食器洗い機を提供すること。【解決手段】複数の運転コースから選択され、選択された運転コースが実行され、洗浄槽内のヒーターがデューティー制御される食器洗い機について、ヒーター制御のデューティー比をデューティー比設定手段で設定し、「乾燥行程のスタート段階での洗浄槽内の温度が低くなる運転コース」が選択された場合は、前記洗浄槽内の温度が高くなる運転コースの場合よりも、ＯＮ・ＯＦＦのデューティー比を大きく設定する。また、乾燥行程の前段階に高温すすぎを行わず、乾燥行程のスタート段階の洗浄槽内温度が４０℃（例えば夏期における最高室内温）以下とする。【選択図】図３−２
2008284094.tif 000002
【特許請求の範囲】
【請求項１】
複数の運転コースから選択され、選択された運転コースが実行され、洗浄槽内のヒーターがデューティー制御される食器洗い機において、
ヒーターのデューティー制御におけるデューティー比をデューティー比設定手段で設定し、
乾燥行程のスタート段階での洗浄槽内の温度が低くなる運転コースが選択された場合は、前記洗浄槽内の温度が高くなる運転コースの場合よりも、上記デューティー比が大きく設定されるようになっている食器洗い機。
【請求項２】
乾燥行程のスタート段階での加熱によって洗浄槽内が所定温度になったとき、上記ＯＮ・ＯＦＦのデューティー比が小さく設定されるようになっている請求項１の食器洗い機。
【請求項３】
乾燥行程のスタート段階での加熱によって洗浄槽内が所定温度になったとき、ヒーター制御のＯＮ・ＯＦＦ周期が長く設定されるようになっている請求項１又は請求項２の食器洗い機。
【請求項４】
乾燥行程のスタート段階での洗浄槽内の温度が低くなる運転コースが選択された場合は、前記洗浄槽内の温度が高くなる運転コースの場合よりも、ＯＮ・ＯＦＦのデューティー比が１．２〜２倍に設定されるようになっている請求項１の食器洗い機。
【請求項５】
乾燥行程のスタート段階での加熱によって洗浄槽内が所定温度になったとき、上記ＯＮ・ＯＦＦのデューティー比が０．５〜０．８倍に小さく設定されるようになっている請求項１の食器洗い機。
【請求項６】
乾燥行程のスタート段階での洗浄槽内の温度が低くなる運転コースが、「乾燥のみコース」又は「快速コース」であり、洗浄槽内の温度が高くなる運転コースが、「標準コース」、「念入りコース」である請求項１の食器洗い機。
【発明の詳細な説明】
【技術分野】
【０００１】
この発明は食器を洗浄し乾燥する食器洗い機に関するものであり、選択された運転コースの種類の如何に関わらず、食器等の局部的加熱を防止しつつ、乾燥行程の所要時間を可及的に短くすることができるものである。
【背景技術】
【０００２】
食器洗い機は食器を洗浄し乾燥することができるものであり、種々の運転コースを選択できるようになっている。この運転コースは、例えば、洗浄、低温すすぎ、高温すすぎ、乾燥等の行程を種々に組み合わせ、あるいは、各種行程の内容、時間等を種々に違えて種々に構成されているものである。
【０００３】
通常の洗浄プログラム（例えば、標準コースの洗浄プログラム）では、すすぎ行程が終了すると乾燥ファン（送風機）が駆動されて、外気が洗浄槽内に導入され、排気されて乾燥行程が実行されるが、洗浄槽に導入された外気をヒーターで加熱し、洗浄槽内温度が所定温度に達すると（標準コースの場合、例えば２０〜４０分）、その温度を一定範囲内に保ちながら、温風乾燥が所定時間継続される。
乾燥行程が終わるとその洗浄運転は終了する。乾燥所要時間が長ければそれだけ運転時間が長くなり、洗浄槽内温度を所定温度まで上昇させるための時間が長いほど乾燥時間が長くなり、したがって、食器洗い機の運転時間が長くなる。
【０００４】
いわゆるビルトインタイプの食器洗い機の一例が図１に示されており、その制御装置の構成が図２に示されている。この食器洗い機は、食器洗い機本体１に洗浄槽３が引き出し自在に装着されているものであり、洗浄槽３が前蓋２を有している。洗浄槽３が押し込まれるとタッチスイッチ１０でこれが検知される。洗浄槽３が食器洗い機本体１に押し込まれたとき、内蓋４で洗浄槽３が閉じられ、引き出されるときに内蓋４が押し上げられて洗浄槽３が開かれる。
【０００５】
給水弁（給水電磁弁）５が開かれて洗浄槽３に給水され、水位センサー１１で洗浄槽内水位が検出される。洗浄槽３内の洗浄水がヒーター８で加熱され、そして、洗浄ポンプ７で加圧されて洗浄ノズル６から噴射される。洗浄ポンプ７は排水ポンプを兼ねていて、逆回転して排水ポンプとして機能して洗浄水を排出させる。
前扉２の操作ボタン２８で運転コースが選択され、スタートボタンが押されると食器洗い機の運転が始まり、その運転コースのプログラムで制御されてその運転コースが実行される。洗浄槽内水位が水位センサー１１で検知されて制御手段２５で給水弁５が制御される。また、洗浄槽内温度がサーミスター１３で検知されて制御手段２５でヒーター８が制御される。
【０００６】
洗浄行程、すすぎ行程ではサーミスター１３で洗浄水温が検知され、乾燥行程ではサーミスター１３で洗浄槽内温度が検知される。
水位センサー１１、サーミスター１３、タッチスイッチ１０、各種センサー２９等による洗浄槽内水位、洗浄水温、洗浄槽内温などを検知信号、またタイマーによる計時データなどによって、制御手段２５で負荷駆動回路２６が制御され、負荷駆動回路で洗浄・排水ポンプ７、給水弁５、ヒーター８、乾燥ファン１２、収容ロック手段３０等が駆動される。
【０００７】
乾燥行程では外気が乾燥ファン１２で洗浄槽３内に導入され、ヒーター８で加熱される。そして、洗浄槽内温度が洗浄槽３の底部に設けたサーミスター１３で検知され、これに基づいて所定温度まで加熱され、その後、所定温度に保持されるように制御されるが、
ヒーター８の周辺がヒーター８の輻射熱を受けて集中的に強く加熱される。このため、ヒーター８の近辺に、耐熱性の低い樹脂からなる洗浄槽壁面や食器等が存在する場合、これらの洗浄槽壁面や食器などの温度が局部的に高くなって軟化し、変形するおそれがあり、ヒーターの出力が高いほどこの可能性が大きくなる。これを防止するために、ヒーター８をデューティー制御する（所定周期でのＯＮ・ＯＦＦ制御の繰り返しによる制御）ようにしている。
他方、ヒーター８の出力が低いと、洗浄槽内温度を所定温度まで上げるのに長時間を要し、その結果、乾燥性能が低下するという問題がある。
さらに、水温を短時間で所定温度に上昇させるには、或る程度のヒーター出力が必要である。
【０００８】
そして、乾燥行程では乾燥ファン１２で洗浄槽内に導入された外気を、ヒーター８で所定温度まで加熱するものであるから、外気温度の高低が乾燥性能に大きく影響する。このため、導入される外気の温度（以下「外気温度」という）を検知して、外気温度が低いときはヒーターの出力を高くして（ＯＮ・ＯＦＦによるデューティー制御におけるデューティー比を大きくすること）、洗浄槽内温度の空気を所定温度まで上げるための所要時間が長くなるのを防止する発明が、特開平１０−３２８１１３号公報に記載されている。
【０００９】
〔従来技術の問題点〕
ところで、乾燥行程のスタート段階での洗浄槽内温度を、ヒータで所定温度まで上げるのに要する時間は外気温度に影響される他、乾燥行程のスタート段階での洗浄槽内温度（厳密には洗浄槽内面や食器の温度）の高低によって大きく影響される。
通常の洗浄作業では、すすぎ行程で高温すすぎを行い、その後に乾燥行程が実行されるが、例えば、洗浄行程やすすぎ行程を実行しないで、乾燥行程だけを実行する場合（手洗いした食器を食器洗い機で乾燥する場合等）は、洗浄槽や食器の温度（以下、これを「食器等の温度」という）が低いので、そのスタート段階の加熱時間（所定温度まで上げる加熱時間）が長くなる。洗浄槽内温度が低いときはヒーターの出力を高くすれば、それだけスタート段階の加熱時間を短くすることができる。しかし、乾燥行程のスタート段階での洗浄槽内温度の高低に応じてヒーター出力を加減するときは、食器等が局部的に過熱されることを確実に防止しなければならず、また、ヒーターの出力調整手段を可及的に簡略にしなければならない。
【特許文献１】特開平１０−３２８１１３号公報
【発明の開示】
【発明が解決しようとする課題】
【００１０】
そこで、この発明は、次のことをその課題とするものである。
すなわち、複数の運転コースから選択された運転コースが実行され、洗浄槽内のヒーターがデューティー制御される食器洗い機を前提として、
そのヒーターを制御するについて、乾燥行程のスタート段階での洗浄槽内温度の高低に応じてヒーター出力を加減して、洗浄槽内温度を速やかにかつ安全に所定温度まで高めることができる、極めて簡単なヒーター制御方法を工夫することである。
【課題を解決するための手段】
【００１１】
上記課題を解決するための手段は、複数の運転コースから選択され、選択された運転コースが実行され、洗浄槽内のヒーターがデューティー制御される食器洗い機について、次の（イ），（ロ）によるものである。
（イ）ヒーター制御のデューティー比をデューティー比設定手段で設定し、
（ロ）乾燥行程のスタート段階での洗浄槽内の温度が低くなる運転コースが選択された場合は、前記洗浄槽内の温度が高くなる運転コースの場合よりも、ＯＮ・ＯＦＦのデューティー比が大きく設定されるようになっていること。
【００１２】
上記の「乾燥行程のスタート段階での洗浄槽内の温度が低くなる運転コース」は、乾燥行程の前段階に高温すすぎがなされないか、またはその時間が極めて短かいコースであり、乾燥行程のスタート段階の洗浄槽内温度（厳密には食器等の温度）が例えば６０℃以上の高温になっている可能性のない運転コースである。
【００１３】
なお、「ＯＮ・ＯＦＦのデューティー比が大きく設定される」は、ＯＮ・ＯＦＦ制御（デューティー制御）におけるＯＮ時間を長くし（またはＯＦＦ時間を短くし）て、ＯＮ時間のＯＮ＋ＯＦＦ時間に対する比（デューティー比：ＯＮ／（ＯＮ＋ＯＦＦ））を高くすることであり、これによって、ヒーターの出力を高めにすることを意味する。
【００１４】
乾燥行程のスタート段階での加熱によって洗浄槽内が所定温度になったときは、この段階で食器等の温度が高くなっているので、その後のヒーターのＯＮ・ＯＦＦ制御（デューティー制御）のデューティー比が小さく設定される。これによって、温調乾燥におけるヒーターによる加熱が緩やかになり、ヒーターの強い輻射熱を受けて食器等（特にその表面）が、局部的に過熱されて軟化してしまうおそれはない。
上記デューティー比を小さく設定するについては、ＯＮ時間を短くしてもよいが、ＯＦＦ時間を長くしてもよく、ＯＦＦ時間を長くすればＯＮ・ＯＦＦの切り替え回数が少なくなるので、これをリレースイッチで行う場合は、当該リレースイッチの耐久性が高い。
【発明の効果】
【００１５】
選択された運転コースが「乾燥行程のスタート段階での洗浄槽内の温度が低くなる運転コース」であるときは、前記洗浄槽内の温度が高くなる運転コースの場合よりも、ヒーターのＯＮ・ＯＦＦ制御のデューティー比が大きく設定されるようになっているから、ヒーター出力が高めであり、したがって、乾燥行程のスタート段階での温度が低いにもかかわらず、洗浄槽内が速やかに所定温度まで加熱される。そして、この場合のスタート段階における洗浄槽内の壁面や食器の温度（食器等の温度）は低温（例えば、夏期でも４０℃以下）であるから、ヒーター出力が高めであっても、そのことによって洗浄槽の壁面や食器が局部的に過熱されて軟化することはない。
【００１６】
他方、選択されたコースが、乾燥行程のスタート段階での洗浄槽内の温度が高くなるものである場合は、その場合の洗浄槽内温度が高温（例えば６５℃以上）になっている可能性が高いが、ヒーターＯＮ・ＯＦＦ制御のデューティー比が小さく設定されていて、ヒーター出力は特に低めであるから、洗浄槽の壁面や食器が局部的に過熱されて軟化することはない。
【００１７】
洗浄槽内温度が所定温度になった後は、ヒーターがサーミスターの検知温度に基づいてＯＮ・ＯＦＦされて洗浄槽内がほぼ一定温度に保持されるが、この間の、ヒーターのデューティー制御におけるＯＦＦ時間を長くして、保温のためのヒーターのＯＮ・ＯＦＦ操作の間隔を長くすることにより、洗浄槽内温度上昇を緩やかにすることができる。そしてまた、デューティー制御のＯＮ・ＯＦＦをリレーで行う場合は、そのリレーの耐久性が高められる。
【００１８】
〔実施態様〕
選択された運転コースが「乾燥行程のスタート段階での洗浄槽内の温度が高くなる運転コース」である場合は、高温すすぎ等のために洗浄槽の内壁面や食器の温度が６０℃よりも高めになっている。このときは、ヒーターのＯＮ・ＯＦＦのデューティー比が小さく設定されており、この場合の洗浄槽内温度の上昇速度は、例えば−１．０〜０．５℃／ｍｉｎである。これに対して、「乾燥行程のスタート段階での洗浄槽内の温度が低くなる運転コース」である場合は、ヒーターのＯＮ・ＯＦＦ制御のデューティー比が、「小さく設定」される場合のデューティー比の１．２〜２倍の範囲で設定されており、このために、乾燥行程のスタート段階での洗浄槽内温度が低いときの洗浄槽内温度の上昇速度は、例えば０．７〜１℃／ｍｉｎである。これを具体的に選択するには、個々の食器洗い機の容量など、運転速度などによるので、加熱強さの許容限度と、乾燥行程のスタート段階での洗浄槽内温度の上昇速度の両方を勘案して選定すればよい。
【００１９】
乾燥行程のスタート段階での洗浄槽内の温度が低くなる運転コースが選択された場合は、前記洗浄槽内の温度が高くなる運転コースの場合よりも、ＯＮ・ＯＦＦのデューティー比が１．２倍以上であることで、冬季（外気温度が低いとき）でも洗浄槽内を所定温度（例えば６０℃）まで上げるための所要時間を概略２０％短縮することができ、他方、２倍以下であることで、例えば夏期の外気温度が高いときでも、ヒーター近辺の洗浄槽の内壁や食器が局部的に過熱されて軟化するおそれは全くない。
【００２０】
上記倍率は、ヒーターと洗浄槽内面や食器との配置関係を勘案して、上記趣旨に適うように適宜選択することができる。
また、乾燥行程のスタート段階での加熱によって洗浄槽内が所定温度になったとき、その後の上記ＯＮ・ＯＦＦのデューティー比が、０．５〜０．８倍に小さくされると、洗浄槽内温度が最も低い場合（例えば冬季）においても比較的順調に短時間に洗浄槽内温度を所定温度まで再上昇させることができ、また、夏期においても洗浄槽内温度を緩やかに上昇させることができ、食器等の表面が局部的に加熱されて軟化される恐れは全くない。
【発明を実施するための最良の形態】
【００２１】
次いで、図面を参照しつつ、この発明の実施例を説明する。
この発明を適用した食器洗い機の制御装置の構成は図２に示す従来のものと違いはなく、制御装置２０における制御手段２５による動作制御に若干の違いがあるにすぎない。そして、運転コースについては、少なくとも、「乾燥のみコース」、「快速コース」、「標準コース」、「念入りコース」の４種類が用意されている。そして、概略的にいえば、標準コースは、洗浄、すすぎ、加熱すすぎ、乾燥の各行程からなるものであり、念入りコースは、上記行程を備えていて、各行程を十分時間をかけて念入りに実行するもので、全所要時間が標準コースの１．２倍以上である。
また、快速コースは、予洗い行程がなく、洗浄、すすぎ、加熱すすぎ、乾燥行程を備えていて、各行程の時間が標準コースに比して極めて短縮されていて、全所要時間が１／３〜１／２に短縮されているものであり、乾燥のみコースは、文字通り乾燥行程のみを実行するものである。
【００２２】
各種操作ボタン２８によって運転コースが選択されると、選択された運転コースが制御手段２５のＲＡＭに登録され、その運転プログラムが実行される。この運転コースの動作フローは、図３−１〜図３−４に示されているものであり、従来のものと違いはない。すなわち、電源スイッチがＯＮされ、運転コースの選択がなされ（前回の運転コースの選択又は新たな運転コースの選択）、スタートスイッチがＯＮされると、すぐに排水動作がなされる。
【００２３】
次に、選択された運転コースに応じて図３−１〜図３−４のフローのように、乾燥行程の加熱制御がなされる。
この加熱行程でのサーミスター１３の検知温度の変遷の概略は、図４に示す通りである。この図４のグラフは、乾燥行程におけるサーミスター１３の検知温度の変遷の一例であり、左端の起点から上昇して、温度６４℃のＰ１点に達し、その後、低下して温度５７℃のＰ２点に達してから再び上昇し、温度６４℃まで上昇し、その後、所定時間だけ同様の低下と上昇が繰り返されている。
乾燥行程初期段階からデューティーＤ１による制御がなされ、また、Ｔ２点からはデューティーＤ２による制御がなされる。
【００２４】
ところで、この実施例ではサーミスター１３が洗浄槽の底面部に嵌められていて、この底面部の壁面を介して洗浄槽内温度を検知していることから、ヒーター８による加熱の駆動、停止とサーミスターの検知温度の変動との間には相当のタイムラグがある。このために、温度上昇過程（加熱過程）でのＰ１点におけるサーミスター１３の検知温度を６４℃に制限するには、その前の時点でヒーターの駆動を停止させ、また、温度下降過程（ヒーター停止過程）では、Ｐ２点に達する前にヒーターの駆動を再開させる必要がある。
以上のことから、この実施例では、上記タイムラグを勘案して、上記の６４℃検知点Ｐ１の手前の温度６０℃検知点（Ｔ１）でヒーター駆動を停止し、５７℃検知点Ｐ２の手前の温度５９℃検知点（Ｔ２）でヒーター駆動を再開させている。
なお、洗浄槽内温度は約４０℃前後に上昇して、その後ほぼ一定に保持される。
【００２５】
図３−１〜図３−４のフローにしたがって、具体的に説明する。
まず、選択された運転コースが「乾燥のみコース」であるかを確認し（ＳＴ１）、「ＹＥＳ」であれば、乾燥ファン１２がスタートし、同時に温調乾燥タイマーがスタートし（ＳＴ２）、ヒーターＯＮ・ＯＦＦデューティーが「２５秒ＯＮ・３５秒ＯＦＦ」に設定される（ＳＴ３）。これは、「３５秒ＯＦＦ時間」に対して「２５秒ＯＮ時間」である（デューティー比：０．４）から、ヒーター８は比較的高出力であり、これによって、洗浄槽内温度が急速に高められる。その後、サーミスター１３の検知温度が６０℃であるかを確認し（ＳＴ４）、６０℃に達するまでこのヒーター加熱が継続される。そして、サーミスターの検知温度が６０℃（Ｔ１）になるとヒーター８が停止される（ＳＴ５）。ヒーターが停止した後もタイムラグのために、検知温度はさらに上昇し、約６４℃（Ｐ１）に達する。ヒーター８が停止されると、タイムラグのために検知温度はその後も徐々に低下する。その後、検知温度が５９℃（Ｔ２）になると（ＳＴ６）、ヒーター８が「２５秒ＯＮ・６５秒ＯＦＦ」のデューティー比で再駆動される（ＳＴ７）。その後、タイムラグのためにサーミスターの検知温度はさらに低下し、その後に上昇する。サーミスター１３の検知温度が再び６０℃になると、ヒーターの駆動が再度停止される。
このようにして、サーミスターの検知温度６０℃と５９℃を基準にしてヒーター８の駆動、停止の制御がなされて温調加熱がなされ（ＳＴ８）。因みにいえば、以上のヒーター制御によってサーミスターの検知温度が上限６４℃、下限５７℃の間で変動し、この変動は、温調乾燥タイマーの計測時間が「乾燥のみコース」の温調乾燥時間に達するまで継続される（ＳＴ９）。
【００２６】
タイムアップするとヒーター８が停止され、送風乾燥に切り替えられ、送風乾燥タイマーがスタートし（ＳＴ１０）、この送風乾燥時間に達するまで継続される（ＳＴ１１）。そして、タイムアップすると乾燥ファンが停止され（ＳＴ１２）、洗浄運転が終了する（ＳＴ１３）。
ヒーター８のデューティー制御において、「ＯＦＦ時間３５秒」にして、「ＯＦＦ時間６５秒」の場合に比して、デューティー比を１．５倍に大きくしている。
【００２７】
上記ステップＳＴ１で「ＮＯ」であれば、次に、選択された運転コースが「快速コース」であるかを確認する（ＳＴ１４）。ここで「ＹＥＳ」であれば、当該コースのプログラムによる洗浄行程が実行され（ＳＴ１５）、「快速コース」のすすぎ行程が実行される（ＳＴ１６）。次いで、乾燥ファン１２がＯＮされ、ヒーター８が駆動されて、温調乾燥がなされる（ＳＴ１７）。この温調乾燥はヒーター８が「２５秒ＯＮ・３５秒ＯＦＦ」のデューティー比で駆動されて、サーミスター１３の検知温度が６０℃になる（Ｔ１）まで、洗浄槽内が比較的急速に加熱される（ＳＴ３）。その後、サーミスター１３の検知温度５９℃，６０℃を基準にして温度一定の温調乾燥がなされ（この間にサーミスター１３の検知温度は概略５７℃〜６４℃で変動している）、さらにヒーターが停止されて送風乾燥がなされる。
【００２８】
上記ステップＳＴ１４で「ＮＯ」であるときは、次に、選択された運転コースが「標準コース」であるかを確認する（ＳＴ１８）。ここで「ＹＥＳ」であれば、「標準コース」のプログラムによる洗浄行程が実行され（ＳＴ１９）、「標準コース」におけるすすぎ行程が実行される（ＳＴ２０）。次いで、乾燥ファン１２がＯＮされ、ヒーター８が駆動されて温調乾燥がなされる（ＳＴ２１）。この温調乾燥ではヒーター８が「２５秒ＯＮ・６５秒ＯＦＦ」のデューティー比で制御され、比較的緩やかな加熱がなされ（ＳＴ２２）、所定時間経過後に、ヒーターを停止して送風乾燥がなされる。
【００２９】
さらに、上記ステップＳＴ１８で「ＮＯ」であるときは、次に、選択された運転コースが「念入りコース」であるかを確認する（ＳＴ３０）。ここで「ＹＥＳ」であれば、「念入りコース」のプログラムによる洗浄行程が実行され（ＳＴ３１）、「念入りコース」におけるすすぎ行程が実行される（ＳＴ３２）。次いで、乾燥ファン１２がＯＮされ、ヒーター８が駆動されて温調乾燥がなされる（ＳＴ３３）。この温調乾燥ではヒーター８が「２５秒ＯＮ・６５秒ＯＦＦ」のデューティー比で制御され、比較的緩やかに加熱され（ＳＴ２２）、その後、ヒーターが停止して送風乾燥がなされる。
【００３０】
乾燥行程でのヒーター制御の一例は図４に示すとおりである。
乾燥行程がスタートすると、ヒーター８が所定のデューティー比で制御される。このデューティー制御におけるＯＮ時間ｔ１のＯＦＦ時間に対する割合（デューティー比：ＯＮ／（ＯＮ＋ＯＦＦ））が大きいほどヒーターの出力が大きい。
乾燥行程の当初段階の加熱によってサーミスターの検知温度が６０℃になるまで加熱される。サーミスター１３で温度６０℃が検知される（Ｔ１点）とヒーターが停止される。タイムラグのためにその後もサーミスターの検知温度はさらに上昇（概略６４℃まで上昇）して（Ｐ１点）から低下し、サーミスターの検知温度が５９℃（Ｔ２）になると、ヒーター８が再び駆動される。その後もサーミスター１３の検知温度はＰ２点まで低下した後、再び上昇する。
このようにして、サーミスターの検知温度５９℃〜６０℃を基準にしてヒーター８の駆動、停止が繰り返されて、洗浄槽内温度がほぼ一定の範囲（サーミスターの検知温度で５７℃〜６４℃）に保持される。
乾燥行程のスタート段階でのヒーターのデューティー制御（第１のデューティーＤ１）と、サーミスターの検知温度５９℃〜６０℃での温調のためのヒーターのデューティー制御（第２のデューティーＤ２）とが同じである必要はなく、設計条件等に応じてこれらを適宜違えることができる。
【００３１】
選択された運転コースが「乾燥のみコース」又は「快速コース」であるときは、ヒーター出力は、第１のデューティーＤ１で制御され、そのＯＮ時間ｔ１は２５秒で、これに対してＯＦＦ時間ｔ２は３５秒であって、このときのヒーター８は高出力であり、サーミスター１３の検知温度が６０℃（Ｔ１）になるまで継続される。そして、サーミスターの検知温度が６０℃になると、ヒーター８が停止され、その後、サーミスターの検知温度が６４℃（Ｐ１）まで上昇してから低下する。そして、サーミスターの検知温度が５９℃（Ｔ２）まで低下すると（Ｐ２）、ヒーター８が第２のデューティーＤ２で再び駆動される。この第２のデューティーＤ２のＯＮ時間ｔ３は２５秒であり、ＯＦＦ時間ｔ４は６５秒である。
【００３２】
選択された運転コースが「乾燥のみコース」又は「快速コース」以外のものすなわち、「標準コース」又は「念入りコース」であるときは、ヒーター制御の第１のデューティーＤ１のＯＮ時間ｔ１は２５秒で、ＯＦＦ時間ｔ２は６５秒であり、ヒーター出力は比較的低い。この低出力で加熱されて、サーミスター１３の検知温度が６０℃になるまで継続される（Ｔ１）。そして、サーミスター１３の検知温度が６０℃になると、ヒーターが停止され、洗浄槽温度が低下する。サーミスター１３の検知温度が５９℃になると（Ｔ２）、ヒーター８が再び駆動される。この時の第２のデューティーＤ２のＯＮ時間ｔ３は２５秒であり、ＯＦＦ時間ｔ４は６５秒である。このときのＯＮ・ＯＦＦ繰り返しの間隔は９０秒である。
サーミスターの検知温度が５９℃になった後も、サーミスターの検知温度は５７℃（Ｐ２）まで低下し、その後、再び上昇するようになる。
【００３３】
上記第２のデューティーＤ２のＯＦＦ時間ｔ４を６５秒よりも長く（例えば９０秒）して、ヒーター出力をさらに低下させれば、ヒーターによる加熱は緩やかになる。そして、ヒーター８のＯＮ・ＯＦＦの繰り返しの間隔が長くなるほど、このＯＮ・ＯＦＦをリレースイッチで制御する場合は、リレースイッチの耐久性が高くなる。
【図面の簡単な説明】
【００３４】
【図１】は、引き出し式の食器洗い機の断面図である。
【図２】は、食器洗い機の駆動制御装置のブロック図である。
【図３−１】は、実施例の制御装置の動作フローチャートの一部である。
【図３−２】は、実施例の制御装置の動作フローチャートの他の一部である。
【図３−３】は、実施例の制御装置の動作フローチャートの他の一部である。
【図３−４】は、実施例の制御装置の動作フローチャートの他の一部である。
【図４】は、実施例における加熱乾燥時のヒーター制御を模式的に示す図である。
【符号の説明】
【００３５】
１：食器洗い機
３：洗浄槽
４：蓋
８：ヒーター
１２：乾燥ファン
１３：サーミスター
１８：各種操作ボタン
２５：制御手段
Ｄ１：第１のデューティー
Ｄ２：第２のデューティー
ｔ１：第１のデューティーＤ１におけるＯＮ時間
ｔ２：第１のデューティーＤ１におけるＯＦＦ時間
ｔ３：第２のデューティーＤ２におけるＯＮ時間
ｔ４：第２のデューティーＤ２におけるＯＦＦ時間
【図１】
2008284094.tif 000003
【図２】
2008284094.tif 000004
【図３−１】
2008284094.tif 000005
【図３−２】
2008284094.tif 000006
【図３−３】
2008284094.tif 000007
【図３−４】
2008284094.tif 000008
【図４】
2008284094.tif 000009